(57)【要約】  【課題】  低コスト構成で信頼性の高い高倍速記録が可能な光ディスク装置を提供する。  【解決手段】  レーザ駆動回路の駆動電圧の検出結果に基づき、レーザダイオードの駆動電圧を制御し、該レーザダイオードの駆動電圧を制御することで、レーザ駆動回路の駆動電圧が適切範囲を維持するようにする。また、レーザ駆動回路の駆動電圧及びレーザダイオードの駆動電圧を制御する場合、該制御に連動して、情報の記録速度を変化させる。【選択図】  図２
2007294026.tif 000002
【特許請求の範囲】
【請求項１】
光ディスクに対しレーザ光を照射して情報の記録または再生を行う光ディスク装置であって、
記録または再生用のレーザ光を生成し出射するレーザダイオードと、
印加された電源電圧から生成される第１の電圧によって駆動され、上記レーザダイオードを駆動するための第２の電圧を生成するレーザ駆動回路と、
情報の記録時、上記第１の電圧のレベル検出結果に基づき、上記第２の電圧のレベルを制御するかまたは上記レーザ駆動回路の出力を停止させる制御回路と、
を備えたことを特徴とする光ディスク装置。
【請求項２】
上記制御回路は、情報の記録時、上記第２の電圧のレベルを制御することにより上記第１の電圧のレベルを、予め設定された範囲の値となるように制御し、上記レーザ駆動回路は、該制御されたレベルの第１の電圧によって駆動され、上記レーザダイオードは、該制御された第２の電圧によって駆動される構成である請求項１に記載の光ディスク装置。
【請求項３】
上記制御回路は、情報の記録時、上記第１の電圧のレベルを基準値と比較し、該比較の結果、該第１の電圧のレベルが基準値以下のとき、上記第２の電圧のレベルを低減させ、上記第１の電圧のレベルを上記基準値を超える値に増大させる構成である請求項１に記載の光ディスク装置。
【請求項４】
上記制御回路は、上記第１の電圧のレベルを、上記電源電圧のレベルと上記第２の電圧のレベルとの差分として検出する構成である請求項１に記載の光ディスク装置。
【請求項５】
上記制御回路は、情報の記録速度を制御する記録速度制御信号形成部を有し、上記第１の電圧のレベルが基準値以下になったとき、上記スピンドルモータの回転速度を低減させて上記光ディスクの回転速度を下げかつ上記情報の記録速度を低減させる構成である請求項１に記載の光ディスク装置。
【請求項６】
レーザ駆動回路でレーザダイオードを駆動し該レーザダイオードから出射されるレーザ光を光ディスクに照射して情報記録を行う光ディスク装置における情報記録方法であって、
上記レーザ駆動回路を駆動するための第１の電圧のレベルを検出する第１のステップと、
上記検出した第１の電圧のレベルを、予め設定されている基準値と比較し、該第１の電圧のレベルが該基準値以下か否かを判別する第２のステップと、
上記判別の結果に基づき、上記レーザダイオードを駆動するための第２の電圧を制御し、該制御結果に基づき上記第１の電圧のレベルを制御するか、または、上記判別の結果に基づき上記第２の電圧による出力を停止させる第３のステップと、
を備え、上記第１の電圧のレベル検出結果に基づき、上記第２の電圧を介して該第１の電圧のレベルを制御し、該制御した第１の電圧で上記レーザ駆動回路を駆動するか、または、上記第１の電圧のレベル検出結果に基づき、該レーザ駆動回路の出力を停止させることを特徴とする光ディスク装置の情報記録方法。
【請求項７】
上記第３のステップでは、上記判別の結果、上記第１の電圧のレベルが上記基準値以下の場合、上記第２の電圧のレベルを低減させて上記第１の電圧のレベルを上記基準値を超える値にまで増大させるか、または、上記レーザ駆動回路の出力を停止させる請求項６に記載の光ディスク装置の情報記録方法。
【発明の詳細な説明】
【技術分野】
【０００１】
本発明は、レーザ光により情報を記録または再生する光ディスク装置に係り、特に、レーザ駆動技術に関する。
【背景技術】
【０００２】
光ディスク装置においては、記録速度の高倍速化に伴い、記録パワーの増大化が必要となり、レーザダイオードのレーザ発光量も増大される。レーザ発光量の増大は、レーザダイオードを増大した駆動電圧で駆動することで実現される。レーザダイオードの駆動電圧が増大すると、該レーザダイオードを駆動するレーザ駆動回路の駆動電圧は、該レーザ駆動回路の電源電圧が一定の場合には低下する方向にあるが、実用化されている従来の光ディスク装置では、レーザダイオードの駆動電圧が増大した場合、レーザ駆動回路の駆動電圧は、電源と該レーザ駆動回路との間に設けた昇圧回路により低下が阻止されるように制御され、該制御により一定レベル以上の電圧が保持されるようになっている。
【０００３】
また、本発明に関連し、レーザ駆動回路の駆動電圧を制御する従来技術であって特許文献に記載されたものとしては、例えば、特開２００３−１６８２３２号公報（特許文献１）や特開２００３−７８２０２号公報（特許文献２）に記載された技術がある。特開２００３−１６８２３２号公報には、レーザ光照射手段（レーザダイオード）から出射されるレーザ光の光量を一定にするために、該レーザ光照射手段から出射される該レーザ光の光量を検知し、該検知結果に基づき、該レーザ光照射手段を駆動する駆動手段（レーザ駆動回路）の電源電圧を制御するとした構成が記載され、特開２００３−７８２０２号公報には、目標動作電圧の異なる複数の半導体レーザ素子（レーザダイオード）を切替えて駆動する半導体レーザ駆動回路（レーザ駆動回路）として、異なるレベルの電源電圧を発生させる電源を備え、各半導体レーザ素子の目標動作電圧に対応して該電源電圧のレベルを切替えるとした構成が記載されている。
【０００４】
【特許文献１】特開２００３−１６８２３２号公報
【特許文献２】特開２００３−７８２０２号公報
【発明の開示】
【発明が解決しようとする課題】
【０００５】
上記従来のうち、昇圧回路を設ける構成では、該昇圧回路が回路の占有スペースや装置コストを増大させるおそれがある。また、特開２００３−１６８２３２号公報記載の技術は、駆動手段（レーザ駆動回路）の電源電圧を制御する構成のため、電源として電圧可変型の電源が必要であり、やはり、装置コストの増大につながるおそれがある。また、特開２００３−７８２０２号公報記載の技術は、異なるレベルの電源電圧を発生させる電源が必要であり、やはり、回路の占有スペースや装置コストを増大させるおそれがある。また、１つの半導体レーザ素子（レーザダイオード）の動作電圧が変化した場合には対応不可能である。
【０００６】
本発明の課題点は、上記従来技術の状況に鑑み、光ディスク装置において、昇圧回路や電圧可変型の電源を用いることなく、レーザ駆動回路の駆動電圧を制御することができるようにすることである。
本発明の目的は、かかる課題点を解決し、低コスト構成で、信頼性の高い高倍速記録が可能な光ディスク装置を提供することにある。
【課題を解決するための手段】
【０００７】
上記課題点を解決するために、本発明では、光ディスク装置において、光ディスクに情報を記録するとき、レーザ駆動回路の駆動電圧（以下、第１の電圧という）を検出し、該検出結果に基づき、レーザダイオードの駆動電圧（以下、第２の電圧という）を制御し、該第２の電圧を制御することで該第１の電圧を適正範囲に維持するように制御し、該制御した第１の電圧でレーザ駆動回路を駆動する。また、第１の電圧の検出結果に基づき、レーザ駆動回路における出力を停止させる。また、第１、第２の電圧を制御する場合、該制御に連動して、情報の記録速度も変化させる。例えば、高倍速記録時に、レーザダイオードにおける第２の電圧が増大し、レーザ駆動回路における第１の電圧が基準値以下に低下したとき、該第２の電圧を低減化制御することで、該第１の電圧を、上記基準値を超えるレベルにまで増大させてレーザ駆動回路の適正動作を確保するとともに、情報の記録速度も、レーザダイオードの第２の電圧の低減化に対応させて低減させ、記録品質を確保する。
【発明の効果】
【０００８】
本発明によれば、光ディスク装置において、低コストの構成下で、信頼性の高い高倍速記録が可能となる。
【発明を実施するための最良の形態】
【０００９】
以下、本発明の実施形態につき、図面を用いて説明する。
図１〜図６は、本発明の第１の実施例の説明図である。図１は、本発明の第１の実施例としての光ディスク装置の構成例図、図２は、図１の光ディスク装置における記録制御系の構成図、図３は、図１の光ディスク装置におけるレーザ駆動回路の駆動電圧及びレーザダイオードの駆動電圧の説明図、図４は、図１の光ディスク装置におけるレーザ駆動回路の動作特性の説明図、図５は、図１の光ディスク装置におけるレーザ駆動回路及びレーザダイオードの記録速度対応特性の説明図、図６は、図１の光ディスク装置における記録時の制御動作の説明図である。
【００１０】
図１において、１ａは、本発明の第１の実施例としての光ディスク装置、２は光ディスク、３は、光ディスク２を回転駆動するスピンドルモータ、４は光ピックアップ、５は対物レンズ、６は、記録または再生のために所定の強さのレーザ光を発生するレーザダイオード、７は、レーザダイオード６を駆動するレーザ駆動回路、８は、対物レンズ５を介し光ディスク２の記録面からの反射レーザ光を受光して電気信号に変換し出力するフォトデテクタ、９は、フォトデテクタ8からの信号を増幅するなどアナログ信号処理するアナログフロントエンド、１０は、直線状のガイド部材（図示なし）やリードスクリュー部材（図示なし）などを備えて構成され、光ピックアップ４を光ディスク２の略半径方向に移動させる移動・案内機構部、１１は、移動・案内機構部１０内にあってリードスクリュー部材（図示なし）を回転駆動するスライドモータ、１２は、スピンドルモータ３やスライドモータ１１などを駆動するモータ駆動回路、１３は、モータ駆動回路１２を制御するモータ制御部、１４は、光ディスク２の記録層に記録される記録信号を生成する記録信号生成部、１５は、レーザ駆動回路７を駆動するためのレーザ駆動回路駆動用電圧（以下、第１の電圧という）を制御するレーザ駆動回路電圧制御部、１６は、フォトデテクタ８からの再生信号を、ＲＦ信号や、トラッキング誤差信号や、フォーカス誤差信号として処理する再生信号処理部、１７は、上記処理された再生信号から、情報の記録速度についての情報や記録品質についての情報を生成する記録速度情報・記録品質情報生成部、１８は、レーザ駆動回路７に電力を供給するＰＣ供給電源、２０は、光ディスク装置１ａ全体を制御する制御回路、３０は、制御回路２０が処理する情報を記憶する記憶手段としてのメモリ、ＶＳは、ＰＣ供給電源１８により印加されたレーザ駆動回路７の電源電圧、ＶＬＤＤは、レーザ駆動回路７を駆動する第１の電圧、ＶＬＤは、レーザ駆動回路７から出力されレーザダイオード６に印加されるレーザダイオード駆動用電圧（以下、第２の電圧という）である。
【００１１】
制御回路２０は、例えば、マイコンやＤＳＰ（Ｄｉｇｉｔａｌ  Ｓｉｇｎａｌ  Ｐｒｏｃｅｓｓｏｒ）などによって構成される。レーザ駆動回路７は、印加された電源電圧ＶＳから生成される第１の電圧ＶＬＤＤによって駆動され、レーザダイオード６を駆動するための第２の電圧ＶＬＤを生成してレーザダイオード６に印加する。
制御回路２０は、情報の記録時、初期設定において、記録速度情報・記録品質情報生成部１７からの記録速度情報及びスピンドルモータ３または光ディスク２の回転速度信号に基づき、モータ制御部１３を制御してスピンドルモータ３及び光ディスク２を所定の記録速度に対応した速度で回転させるとともに、記録信号制御部１４を制御して所定の記録速度に対応したクロック周波数の記録信号を生成させる。また、該初期設定時、該記録速度情報・記録品質情報生成部１７からの記録品質情報に基づいて、レーザ駆動回路電圧制御部１５を制御し、レーザ駆動回路７を所定の第１の電圧ＶＬＤＤで駆動し、レーザダイオード６に所定の第２の電圧ＶＬＤを印加して、該レーザダイオード６から最適の発光パワーのレーザ光が出射されるようにする。
【００１２】
制御回路２０は、初期設定後における情報の記録時は、上記第１の電圧ＶＬＤＤのレベルを検出し、該検出結果に基づき制御信号を形成し、レーザ駆動回路電圧制御部１５を介しレーザ駆動回路７を制御して上記第２の電圧ＶＬＤのレベルを制御するか、またはレーザ駆動回路７が出力を停止するように制御する。上記第２の電圧ＶＬＤのレベルを制御する場合は、該第２の電圧ＶＬＤのレベルを制御することにより第１の電圧ＶＬＤＤのレベルを、予め設定された範囲の値とするように制御する。すなわち、情報記録時において、制御回路２０は、第１の電圧ＶＬＤＤのレベルを、電源電圧ＶＳと第２の電圧ＶＬＤとの差分として検出し、該検出した第１の電圧ＶＬＤＤのレベルを基準値と比較し、該比較の結果、該第１の電圧ＶＬＤＤのレベルが基準値以下のとき、第２の電圧ＶＬＤのレベルを低減させることで第１の電圧ＶＬＤＤのレベルを、上記基準値を超える値にまで増大させるか、または、レーザ駆動回路７の出力を停止させる。レーザ駆動回路７は該増大された第１の電圧ＶＬＤＤによって駆動され、レーザダイオード６は該低減された第２の電圧ＶＬＤが印加されて駆動される。該第１の電圧ＶＬＤＤのレベルの増大により、レーザ駆動回路７は適正動作が確保される。レーザダイオード６は、上記低減された第２の電圧ＶＬＤで駆動されるため、レーザ光の発光量が減少する。
【００１３】
制御回路２０は、レーザダイオード６が、上記低減された第２の電圧ＶＬＤを印加されて駆動される場合、レーザ光の発光量が減少しても光ディスク上に適正な記録を行うことができるようにするために、該レーザ光の発光量の減少化に対応してすなわち低減化制御された第２の電圧ＶＬＤに対応して、情報の記録速度を低減させる制御を行う。該記録速度の低減化制御は、光ディスク２の回転速度の低減化と記録信号のクロック周波数の低減化とで対応する。すなわち、制御回路２０は、上記第１の電圧ＶＬＤＤのレベル検出結果に基づき、対応する制御信号を形成し、該制御信号により、モータ制御部１３を介してモータ駆動回路１２を制御し、スピンドルモータ３の回転速度を低減させて光ディスク２の回転速度を低減させるとともに、記録信号生成部１４を制御して記録信号のクロック周波数を低減させる。制御回路２０はまた、モータ駆動回路１２を制御してスライドモータ１１を制御し、移動・案内機構部１０を制御して、光ピックアップ４の移動速度を、上記低減された記録速度に対応させる。
以下、説明中で用いる図１の装置の構成要素には、図１の場合と同じ符号を付して用いる。
【００１４】
図２は、図１に示した第１の実施例としての光ディスク装置１ａにおける記録制御系の構成図である。図１と同じ構成要素には、図１と同じ符号を付して示す。
図２において、２１は、制御回路２０内にあって、電源電圧ＶＳと第２の電圧ＶＬＤとが入力され該両電圧の差電圧としての第１の電圧ＶＬＤＤを検出する差電圧検出部、２２は、制御回路２０内にあって、差電圧検出部２１で検出された第１の電圧ＶＬＤＤを、予め設定されている基準電圧と比較し該第１の電圧ＶＬＤＤのレベルが該基準電圧値以下か否かを判別する電圧比較部、２３は、上記基準電圧を設定する基準電圧設定部、２４は、電圧比較部２２からの出力（電圧判別結果出力）に基づき、モータ制御部１３、記録信号生成部１４及びレーザ駆動回路電圧制御部１５を制御するための制御信号を形成する制御信号形成部、２４ａは、制御信号形成部２４内にあって、モータ制御部１３と記録信号生成部１４を制御するための記録速度制御信号を形成する記録速度信号形成部、２４ｂは、同じく制御信号形成部２４内にあって、レーザ駆動回路電圧制御部１５を制御するためのレーザ駆動回路電圧制御信号を形成するレーザ駆動回路電圧制御信号形成部である。他の符号は、図１の場合と同じである。
【００１５】
基準電圧設定部２３は、記録時、初期設定において、記録速度情報・記録品質情報生成部１７からの記録品質情報に基づいて基準電圧を設定する。設定した基準電圧はメモリ３０に記憶される。該基準電圧としては、レーザ駆動回路７において安定した出力電流が得られるレーザ駆動回路電圧の値を設定する。記録速度制御信号形成部２４ａは、電圧比較部２２からの出力（電圧判別結果出力）と、記録速度情報・記録品質情報生成部１７からの記録速度信号及びスピンドルモータ３または光ディスク２の回転速度信号とから、記録速度制御信号を形成する。すなわち、該記録速度制御信号形成部２４ａは、情報の記録時、初期設定においては、記録速度情報・記録品質情報生成部１７からの記録速度情報及びスピンドルモータ３または光ディスク２の回転速度信号に基づき、モータ制御部１３を制御してスピンドルモータ３及び光ディスク２を所定の記録速度に対応した速度で回転させるとともに、記録信号制御部１４を制御して所定の記録速度に対応したクロック周波数の記録信号を生成させる記録速度制御信号を形成し、初期設定後の記録動作時は、電圧比較部２２からの出力（電圧判別結果出力）に基づき、記録速度制御信号を形成する。また、レーザ駆動回路電圧制御信号形成部２４ｂは、電圧比較部２２からの出力（電圧判別結果出力）と記録速度情報・記録品質情報生成部１７からの記録品質情報とに基づいてレーザ駆動回路電圧制御信号を形成する。すなわち、該レーザ駆動回路電圧制御信号形成部２４ｂは、情報の記録時、初期設定においては、記録速度情報・記録品質情報生成部１７からの記録品質情報に基づき、レーザ駆動回路電圧制御部１５を制御してレーザダイオード６から最適の発光パワーのレーザ光が出射されるレーザ駆動回路電圧制御信号を形成し、初期設定後の記録動作時は、電圧比較部２２からの出力（電圧判別結果出力）に基づき、レーザ駆動回路電圧制御信号を形成する。
【００１６】
差電圧検出部２１で検出された第１の電圧ＶＬＤＤが、電圧比較部２２における比較・判別の結果、基準電圧値以下であるときは、該結果に対応した信号が該電圧比較部２２から、制御信号形成部２４に向けて出力される。制御信号形成部２４内の、記録速度制御信号形成部２４ａは、上記電圧比較部２２からの出力に対応した記録速度制御信号を形成し、レーザ駆動回路電圧制御信号形成部２４ｂは、上記電圧比較部２２からの出力に対応したレーザ駆動回路電圧制御信号を形成し、それぞれ出力する。レーザ駆動回路電圧制御信号はレーザ駆動回路電圧制御部１５に入力される。レーザ駆動回路電圧制御部１５は、該レーザ駆動回路電圧制御信号に基づき、第２の電圧ＶＬＤを低減させることで、第１の電圧ＶＬＤＤを、上記基準電圧値を超えるレベルに増大させる。一方、記録速度制御信号は、モータ制御部１３と記録信号制御部１４とに入力される。モータ制御部１３は、該記録速度制御信号に基づき、モータ駆動回路１２を制御してスピンドルモータ３の回転速度を下げ、光ディスク２の回転速度を、予め設定してある値まで低減させる。また、記録信号制御部１４は、記録速度制御信号に基づき、記録信号のクロック周波数を、予め設定してある値に低減させる。上記低減された記録速度、すなわち上記低減された光ディスク２の回転速度及び上記低減された記録信号のクロック周波数は、レーザダイオード６が、レーザ駆動回路７から印加される上記低減された第２の電圧ＶＬＤで駆動され、レーザ光の発光量が減少している状態においても、光ディスク２上に適正な記録を行うことができる値である。
以下、説明中で用いる上記図２の装置の構成要素にも、上記図２の場合と同じ符号を付して用いる。
【００１７】
図３は、図１の光ディスク装置１ａにおけるレーザ駆動回路の駆動電圧７及びレーザダイオード６の駆動電圧の説明図である。図１と同じ構成要素には、図１と同じ符号を付して示す。
図３において、電源電圧ＶＳは、ＰＣ供給電源１８からレーザ駆動回路７に印加され、レーザ駆動回路７を駆動する第１の電圧ＶＬＤＤ及びレーザダイオード６を駆動する第２の電圧ＶＬＤは、電源電圧ＶＳに基づき形成される。電源電圧ＶＳ、第１の電圧ＶＬＤＤ及び第２の電圧ＶＬＤとの間には、ＶＳ−ＶＬＤ＝ＶＬＤＤの関係が成立する。制御回路２０内の差電圧検出部２１（図２）には、電源電圧ＶＳと第２の電圧ＶＬＤとが入力される。制御回路２０内のレーザ駆動回路電圧制御信号形成部２４ｂ（図２）は、レーザ駆動回路電圧制御部１５を介し、第２の電圧ＶＬＤを制御することで第１の電圧ＶＬＤＤを制御し、該第１の電圧ＶＬＤＤとして基準電圧値を超えるレベルが維持されるようにする。
【００１８】
図４は、図１の光ディスク装置１ａにおけるレーザ駆動回路７の動作特性の説明図である。
レーザ駆動回路７は、一般に、図４に示す特性曲線Ａの動作特性を有する。該動作特性において、ＬＤＤ駆動電圧すなわちレーザ駆動回路電圧（第１の電圧）ＶＬＤＤが電圧値Ｖ０以下の場合（Ｐ領域の場合）には、該電圧ＶＬＤＤの変化に対するレーザ駆動回路７の出力電流ＩＬＤＤの変化量が大きくて不安定であり、また、該電圧ＶＬＤＤが電圧値Ｖ０を超える場合（Ｑ領域の場合）には、該電圧（第１の電圧）ＶＬＤＤの変化に対するレーザ駆動回路７の出力電流ＩＬＤＤの変化量が小さくて安定している。第１の実施例としての光ディスク装置１ａでは、基準電圧設定部２３において、電圧値Ｖ０を基準電圧値として設定し、図２に示した制御系による制御によって、レーザ駆動回路７がＶ０を超えるレベルの第１の電圧ＶＬＤＤで作動することで記録動作が行われるようにしている。
【００１９】
図５は、図１の光ディスク装置１ａにおけるレーザ駆動回路７及びレーザダイオード６の記録速度対応特性の説明図である。（ａ）は、レーザ発光パワーの記録速度対応特性（特性線イ）、（ｂ）は、レーザ駆動電圧すなわち第２の電圧ＶＬＤの記録速度対応特性（特性線ロ）である。
図５から明らかなように、一般に、記録速度の増大につれ、適正な記録に要するレーザ発光パワーが増大し、このために第２の電圧ＶＬＤの増大が必要となる。該第２の電圧ＶＬＤの増大がなされた場合には、第１の電圧ＶＬＤＤが低減されることになり、例えば、該第１の電圧ＶＬＤＤが電圧値Ｖ０以下の領域（Ｐ領域）（図４）となって、レーザ駆動回路７の出力電流が急激に減少した場合には、記録品質が劣化する。上記図１〜図４で説明したように、第１の実施例としての光ディスク装置１ａでは、レーザ駆動回路７の第１の電圧ＶＬＤＤが低減されようとする場合には、第２の電圧ＶＬＤを下げて該第１の電圧ＶＬＤＤの低減化を阻止するとともに、記録速度を低減させることで、該低減させた第２の電圧ＶＬＤでのレーザ発光パワーによる適正な記録を可能にする。
【００２０】
図６は、図１の光ディスク装置１ａにおける記録時の制御動作の説明図である。
図６において、
（１）制御回路２０は、情報記録のための制御をスタートさせる（ステップＳ６０１）。
（２）制御回路２０の差電圧検出部２１は、電源電圧ＶＳと第２の電圧ＶＬＤと差電圧としての第１の電圧ＶＬＤＤを検出する（ステップＳ６０２）。
（３）制御回路２０の電圧比較部２２は、第１の電圧ＶＬＤＤを基準電圧Ｖ０と比較し、該第１の電圧ＶＬＤＤが該基準電圧Ｖ０以下か否かを判別する（ステップＳ６０３）。
（４）ステップＳ６０３における判別の結果、第１の電圧ＶＬＤＤが基準電圧Ｖ０以下である場合、制御回路２０の制御信号形成部２４は、レーザ駆動回路電圧制御信号形成部２４ｂが、レーザ駆動回路７の第２の電圧ＶＬＤと第１の電圧ＶＬＤＤとを制御するための制御信号すなわちレーザ駆動回路電圧制御信号を形成し、レーザ駆動回路電圧制御１５に入力する（ステップＳ６０４）。
（５）レーザ駆動回路電圧制御１５は、レーザ駆動回路電圧制御信号によりレーザ駆動回路７を制御し、第２の電圧ＶＬＤを低減させることで、第１の電圧ＶＬＤＤを、基準電圧Ｖ０を超えるレベルに増大させる（ステップＳ６０５）。
【００２１】
（６）また、ステップＳ６０３における判別の結果、第１の電圧ＶＬＤＤが基準電圧Ｖ０以下である場合、制御回路２０の制御信号形成部２４は、記録速度の低減化が可能か否かまたは必要か否かを判別する（ステップＳ６０６）。
（７）ステップＳ６０６における判別の結果、記録速度の低減化が可能または必要であるとき、制御回路２０の制御信号形成部２４は、記録速度制御信号形成部２４ａが、記録速度を低減させるための記録速度制御信号を形成し、モータ制御部１３と記録信号生成部１４とに入力する（ステップＳ６０７）。
（８）モータ制御部１３は、記録速度制御信号によりモータ駆動回路１２を制御し、スピンドルモータ３の回転速度を低減させ、光ディスク２の回転速度を低減させる。また、記録信号生成部１４は、記録信号のクロック周波数を低減させ、該記録信号をレーザ駆動回路７に入力する（ステップＳ６０８）。
（９）ステップＳ６０５の制御によって得た第１の電圧ＶＬＤＤによりレーザ駆動回路７を駆動し、第２の電圧ＶＬＤでレーザダイオード６を駆動するとともに、ステップＳ６０８で得たクロック周波数の記録信号でレーザダイオード６を発光させ、出射するレーザ光を、回転速度を低減させた光ディスク２の記録面に照射して情報の記録を行う（ステップＳ６０９）。
（１０）上記ステップＳ６０３における判別の結果、第１の電圧ＶＬＤＤが基準電圧Ｖ０以下でない場合は、制御信号形成部２４は、レーザ駆動回路電圧制御信号形成部２４ｂにおいて、レーザ駆動回路７の第２の電圧ＶＬＤと第１の電圧ＶＬＤＤとを制御するための制御信号すなわちレーザ駆動回路電圧制御信号を形成しないで、また、記録速度信号形成部２４ａにおいて、記録速度制御信号の形成もしないで、記録動作を行う。
（１１）また、ステップＳ６０６における判別の結果、記録速度の低減化が不可能または不要であるとき、記録速度制御信号形成部２４ａは、記録速度を低減させるための記録速度制御信号を形成せず、制御回路２０は、記録動作を異常終了させる（ステップＳ６１０）。記録速度の低減化が不可能または不要である場合とは、例えば、記録速度が、既に最低速度にされている場合や、既に設定値になっている場合などである。
上記ステップＳ６０１〜Ｓ６１１の一連の手順は、メモリ３０など光ディスク装置１ａ内の記憶手段に記憶されたプログラムに従って制御回路２０が自動的に実行する。
【００２２】
上記第１の実施例の光ディスク装置１ａによれば、昇圧回路などを用いずにレーザ駆動回路の駆動用電圧（第１の電圧）を適正動作が可能なレベルに増大させることができ、低コストな構成下で、信頼性の高い高倍速記録などが可能となる。
【００２３】
図７〜図９は、本発明の第２の実施例としての光ディスク装置の説明図である。図７は、第２の実施例としての光ディスク装置の構成図、図８は、図７の光ディスク装置における記録パワーの制御可能範囲の説明図、図９は、図７の光ディスク装置における記録時の制御動作の説明図である。本第２の実施例は、情報の記録時、レーザ駆動回路の駆動用電圧（第１の電圧）のレベルに対応して、該駆動用電圧とレーザダイオードの駆動用電圧（第２の電圧）を制御するが、記録速度の制御は行わない場合である。
図７〜図９において、上記第１の実施例の光ディスク装置１ａにおける構成要素や各部の電圧と同じ構成要素や電圧には、該第１の実施例の光ディスク装置１ａの場合（図１、図２）と同じ符号を付す。以下の説明中で用いるものについても同様である。
【００２４】
図７において、１ｂは、本発明の第２の実施例としての光ディスク装置である。図の構成において、差電圧検出部２１で検出された第１の電圧ＶＬＤＤが、電圧比較部２２における比較・判別の結果、基準電圧値以下であるとき、該結果に対応した信号が該電圧比較部２２から、レーザ駆動回路電圧制御信号形成部２４ｂに向けて出力される。レーザ駆動回路電圧制御信号形成部２４ｂは、上記電圧比較部２２からの出力に対応したレーザ駆動回路電圧制御信号を形成して出力する。形成された該レーザ駆動回路電圧制御信号は、レーザ駆動回路電圧制御部１５に入力される。レーザ駆動回路電圧制御部１５は、該レーザ駆動回路電圧制御信号に基づき、第２の電圧ＶＬＤを低減させることで、第１の電圧ＶＬＤＤを、上記基準電圧値を超えるレベルにまで増大させる。第２の電圧ＶＬＤの低減化は、ＯＰＣ（Ｏｐｔｉｍｕｍ  Ｐｏｗｅｒ  Ｃｏｎｔｒｏｌ）処理で求めた最適記録パワーを基準にして、記録品質を確保可能な記録パワー範囲内で行う。
【００２５】
図８は、図７の光ディスク装置１ｂのレーザダイオード６における記録パワーの制御可能な範囲の説明図である。
図８の特性において、横軸は記録時のレーザ発光パワーＰ、縦軸は記録品質の劣化量、Ｐ０は、ＯＰＣ処理で求めた最適記録パワー、Ｐ１は、記録品質を確保可能な最小記録パワー、Ｐａは現在の記録動作における記録パワー、△Ｐは、最適記録パワーＰ０と最小記録パワーＰ１との差すなわち記録パワーマージンの最大値、△Ｐａは、最適記録パワーＰ０と現在の記録動作における記録パワーＰａとの差である。差電圧検出部２１で検出された第１の電圧ＶＬＤＤが、電圧比較部２２における比較・判別の結果、基準電圧値Ｖ１以下であるとき、制御回路２０は、現在の記録パワーＰａの、ＯＰＣ処理に基づく最適記録パワーＰ０からの差△Ｐａを求め、これを記録パワーマージンの最大値△Ｐと比較し、該△Ｐａが最大値△Ｐ以下であるか否かを判別する。（△Ｐ−△Ｐａ）が記録パワーＰａのマージンである。該判別の結果、該マージンがゼロ以上の場合すなわち△Ｐａが最大値△Ｐ以下（△Ｐａ≦△Ｐ）である場合にのみ、レーザ駆動回路電圧制御部１５は、該レーザ駆動回路電圧制御信号に基づきレーザ駆動回路７を制御し、第２の電圧ＶＬＤを、△Ｐａが最大値△Ｐを越えない範囲すなわち記録パワーのマージンが負にならない範囲で低減させることで、第１の電圧ＶＬＤＤを、上記基準電圧値Ｖ１を超えるレベルに増大させる。
【００２６】
図９は、図７の光ディスク装置における記録時の制御動作の説明図である。
図９において、
（１）制御回路２０は、情報記録のための制御をスタートさせる（ステップＳ９０１）。
（２）制御回路２０の差電圧検出部２１は、電源電圧ＶＳと第２の電圧ＶＬＤと差電圧としての第１の電圧ＶＬＤＤを検出する（ステップＳ９０２）。
（３）制御回路２０の電圧比較部２２は、第１の電圧ＶＬＤＤを基準電圧Ｖ１と比較し、該第１の電圧ＶＬＤＤが該基準電圧Ｖ１以下か否かを判別する（ステップＳ９０３）。
（４）ステップＳ９０３における判別の結果、第１の電圧ＶＬＤＤが基準電圧Ｖ１以下である場合、制御回路２０は、現在の記録パワーＰａのマージン判別を行う。すなわち、ＯＰＣ処理で求めた最適記録パワーＰ０と現在の記録パワーＰａとの差△Ｐａを、最適記録パワーＰ０と記録品質を確保可能な最小記録パワーＰ１との差△Ｐと比較し、両者の差（△Ｐ−△Ｐａ）である記録マージンがゼロ以上か否かを判別する（ステップＳ９０４）。
（５）ステップＳ９０４におけるマージン判別の結果、記録マージンがゼロ以上の場合すなわち△Ｐａ≦△Ｐの関係が満たされている場合は、制御回路２０のレーザ駆動回路電圧制御信号形成部２４ｂが、レーザ駆動回路７の第２の電圧ＶＬＤと第１の電圧ＶＬＤＤとを制御するための制御信号すなわちレーザ駆動回路電圧制御信号を形成し、レーザ駆動回路電圧制御部１５に入力する（ステップＳ９０５）。
【００２７】
（６）レーザ駆動回路電圧制御部１５は、レーザ駆動回路電圧制御信号によりレーザ駆動回路７を制御し、第２の電圧ＶＬＤを低減させることで、第１の電圧ＶＬＤＤを、基準電圧Ｖ１を超えるレベルに増大させる（ステップＳ９０６）。
（７）ステップＳ９０６の制御によって得た第１の電圧ＶＬＤＤによりレーザ駆動回路７を駆動し、第２の電圧ＶＬＤでレーザダイオード６を駆動する（ステップＳ９０７）。このとき、記録速度は変化させない。
（８）上記ステップＳ９０３における判別の結果、第１の電圧ＶＬＤＤが基準電圧Ｖ１以下でない場合は、レーザ駆動回路電圧制御信号形成部２４ｂは、レーザ駆動回路７の第２の電圧ＶＬＤと第１の電圧ＶＬＤＤとを制御するための制御信号すなわちレーザ駆動回路電圧制御信号を形成しないで、記録動作を行う。
（９）また、ステップＳ９０４における記録パワーのマージン判別の結果、記録マージンが負である場合は、制御回路２０は、レーザ駆動回路電圧制御信号形成部２４ｂにレーザ駆動回路電圧制御信号を形成させずに、装置の記録動作を異常終了させる（ステップＳ９０８）。
上記ステップＳ９０１〜Ｓ９０８の一連の手順は、メモリ３０など光ディスク装置１ｂ内の記憶手段に記憶されたプログラムに従って制御回路２０が自動的に実行する。
上記第２の実施例の光ディスク装置１ｂによっても、低コストな構成下で、信頼性の高い高倍速記録などが可能となる。
【００２８】
図１０〜図１２は、本発明の第３の実施例としての光ディスク装置の説明図である。図１０は、第３の実施例としての光ディスク装置の構成図、図１１は、図１０の光ディスク装置におけるレーザダイオードの発光特性及びレーザ駆動電圧特性の説明図、図１２は、図１０の光ディスク装置における記録時の制御動作の説明図である。本第３の実施例は、情報の記録時、レーザ駆動回路の駆動用電圧（第１の電圧）のレベルに対応して、該レーザ駆動回路の出力をオン、オフする場合の例である。本第３の実施例においては、レーザダイオードの駆動用電圧（第２の電圧）の制御も、レーザ駆動回路の駆動用電圧（第１の電圧）の制御も行わない。また、記録速度の制御も行わない。
図１０〜図１２において、上記第１の実施例の光ディスク装置１ａにおける構成要素や各部の電圧と同じ構成要素や電圧には、該第１の実施例の光ディスク装置１ａの場合（図１、図２）と同じ符号を付す。以下の説明中で用いるものについても同様である。
【００２９】
図１０において、１ｃは、本発明の第３の実施例としての光ディスク装置、２４ｄは、制御回路２０内において、電圧比較部２２の出力に基づき、レーザ駆動回路７の出力をオン、オフさせるレーザ出力ＯＮ／ＯＦＦ制御信号を形成するレーザ出力ＯＮ／ＯＦＦ制御信号形成部、１９は、レーザ出力ＯＮ／ＯＦＦ制御信号に基づき、レーザ駆動回路７を制御し、該レーザ駆動回路７の出力をオン、オフ制御するレーザ出力ＯＮ／ＯＦＦ制御部、４０は、レーザダイオード６の温度を検知する温度センサである。温度センサ４０は、例えばサーミスタなどで構成され、その出力信号はレーザ出力ＯＮ／ＯＦＦ制御信号形成部２４ｄに入力される。
【００３０】
図１０の構成において、記録時、差電圧検出部２１で検出された第１の電圧ＶＬＤＤが、電圧比較部２２における比較・判別の結果、基準電圧値以下であるとき、該結果に対応した信号が該電圧比較部２２から、レーザ出力ＯＮ／ＯＦＦ制御信号形成部２４ｄに向けて出力される。レーザ出力ＯＮ／ＯＦＦ制御信号形成部２４ｄは、温度センサ４０からの出力信号により、レーザダイオード６の温度が基準値以上に上昇していることを確認すると、上記電圧比較部２２からの出力に対応したレーザ出力ＯＮ／ＯＦＦ制御信号を形成して出力する。該形成されたレーザ出力ＯＮ／ＯＦＦ制御信号は、レーザ出力ＯＮ／ＯＦＦ制御部１９に入力される。レーザ出力ＯＮ／ＯＦＦ制御部１９は、該レーザ出力ＯＮ／ＯＦＦ制御信号に基づき、レーザ駆動回路７を制御し、該レーザ駆動回路７の出力を停止させる。該レーザ駆動回路７の出力停止により、レーザダイオード６の駆動が停止されてレーザ光の発光が停止され、光ディスク２への情報の記録が停止される。
【００３１】
レーザ光の発光を停止した状態でレーザダイオード６の温度が下降すると、該レーザダイオード６を駆動するための第２の電圧ＶＬＤが低減し、レーザ駆動回路７を駆動するための第１の電圧ＶＬＤＤが上昇する。該第１の電圧ＶＬＤＤが、電圧比較部２２における比較・判別の結果、基準電圧値を超えるレベルにまで回復（上昇）したとき、レーザ出力ＯＮ／ＯＦＦ制御信号形成部２４ｄは、上記電圧比較部２２からの出力に対応したレーザ出力ＯＮ／ＯＦＦ制御信号を形成して出力する。該形成されたレーザ出力ＯＮ／ＯＦＦ制御信号は、レーザ出力ＯＮ／ＯＦＦ制御部１９に入力される。レーザ出力ＯＮ／ＯＦＦ制御部１９は、該レーザ出力ＯＮ／ＯＦＦ制御信号に基づき、レーザ駆動回路７の出力停止状態を解いてレーザダイオード６を駆動させ、記録レーザ光を発光させ、記録動作を再開させる。
【００３２】
図１１は、図１０の光ディスク装置１ｃにおける記録時のレーザダイオード６の発光特性及びレーザ駆動電圧特性の説明図である。
図１１の特性において、Ｉ−Ｖ特性Ｂでは、横軸はレーザダイオード６の電流（ＬＤ消費電流）ＩＬＤ、縦軸はレーザダイオード６の駆動電圧（第２の電圧）ＶＬＤ、また、Ｉ−Ｌ特性Ｃでは、縦軸はレーザダイオード６のレーザ発光量ＬＬＤである。Ｉ−Ｌ特性Ｃは、レーザダイオード６の温度が２５℃、５０℃、７５℃の場合の特性曲線を示す。該Ｉ−Ｌ特性Ｃに示すように、レーザダイオード６の温度が上昇するにつれて、ＬＤ消費電流ＩＬＤが増大し、駆動電圧（第２の電圧）ＶＬＤも増大する。記録速度が増大する場合は必要なレーザ発光量ＬＬＤが増大するため、これらＬＤ消費電流ＩＬＤや、駆動電圧（第２の電圧）ＶＬＤはさらに増大することになる。ＬＤ消費電流ＩＬＤの増大は、レーザダイオード６のさらなる温度上昇を招き、駆動電圧（第２の電圧）ＶＬＤの増大は、レーザ駆動回路７における駆動電圧（第１の電圧）ＶＬＤＤの低減化による記録品質の劣化につながる。さらに、ＬＤ消費電流ＩＬＤの増大、駆動電圧（第２の電圧）ＶＬＤの増大は、レーザダイオード６の消費電力を増大させる。第３の実施例の光ディスク装置１ｃにおいては、レーザダイオード６の温度上昇に起因した駆動電圧（第２の電圧）ＶＬＤの増大によるレーザ駆動回路７の駆動電圧（第１の電圧）ＶＬＤＤの低減状態を制御回路２０内で監視し、該駆動電圧（第１の電圧）ＶＬＤＤが基準電圧値以下になったときは、制御回路２０が、レーザ駆動回路７を制御してその出力を停止させ、レーザダイオード６の駆動を停止させてレーザ光の発光をオフさせて、記録動作を停止させる。レーザダイオード６の温度が下がって、レーザ駆動回路７の駆動電圧（第１の電圧）ＶＬＤＤが基準電圧値を超えるレベルにまで回復したとき、レーザダイオード６におけるレーザ光の発光をオンさせて、記録動作を再開させる。
【００３３】
図１２は、図１０の光ディスク装置１ｃにおける記録時の制御動作の説明図である。
図１２において、
（１）制御回路２０は、情報記録のための制御をスタートさせる（ステップＳ１２０１）。
（２）制御回路２０の差電圧検出部２１は、電源電圧ＶＳと第２の電圧ＶＬＤと差電圧としての第１の電圧ＶＬＤＤを検出する（ステップＳ１２０２）。
（３）制御回路２０の電圧比較部２２は、第１の電圧ＶＬＤＤを基準電圧Ｖ０と比較し、該第１の電圧ＶＬＤＤが該基準電圧Ｖ０以下か否かを判別する（ステップＳ１２０３）。
（４）ステップＳ１２０３における判別の結果、第１の電圧ＶＬＤＤが基準電圧Ｖ０以下である場合、制御回路２０内のレーザ出力ＯＮ／ＯＦＦ制御信号形成部２４ｄは、温度センサ４０からの出力信号により、レーザダイオード６の温度が基準値以上に上昇していることを確認する（ステップＳ１２０４）。
（５）レーザ出力ＯＮ／ＯＦＦ制御信号形成部２４ｄは、レーザダイオード６の温度が基準値以上に上昇していることを確認すると、上記電圧比較部２２からの出力に対応したレーザ出力ＯＮ／ＯＦＦ制御信号を形成して出力する。（ステップＳ１２０５）。
【００３４】
（６）レーザ出力ＯＮ／ＯＦＦ制御部１９は、上記レーザ出力ＯＮ／ＯＦＦ制御信号に基づき、レーザ駆動回路７を制御して出力を停止させる（ステップＳ１２０６）。該レーザ駆動回路７の出力停止により、光ディスク２への情報の記録が停止される。
（７）時間が経過し、レーザダイオード６の温度が下降した時点で、電圧比較部２２により、レーザ駆動回路７を駆動するための第１の電圧ＶＬＤＤが、基準電圧Ｖ０を超えるレベルにまで回復（上昇）したか否かを判別する（ステップＳ１２０７）。
（８）上記ステップＳ１２０７における判別の結果、第１の電圧ＶＬＤＤが基準電圧Ｖ０を超える場合は、レーザ出力ＯＮ／ＯＦＦ制御信号形成部２４ｄは、電圧比較部２２からの出力に対応したレーザ出力ＯＮ／ＯＦＦ制御信号すなわちレーザ駆動回路７の出力をオンさせる制御信号を形成して出力する。（ステップＳ１２０８）。
（９）レーザ出力ＯＮ／ＯＦＦ制御部１９は、上記レーザ出力ＯＮ／ＯＦＦ制御信号に基づき、レーザ駆動回路７を制御して出力させる（ステップＳ１２０９）。
（１０）レーザ駆動回路７は、上記出力によりレーザダイオード６を駆動してレーザ光を発光させ、記録動作を再開させる（ステップＳ１２１０）。
【００３５】
（１１）上記ステップＳ１２０３における判別の結果、第１の電圧ＶＬＤＤが基準電圧Ｖ０以下でない場合は、制御回路２０は、レーザ出力ＯＮ／ＯＦＦ制御信号形成部２４ｄにレーザダイオード６の温度上昇を確認させることなく、記録動作を続行する。
（１２）また、上記ステップＳ１２０７における判別の結果、第１の電圧ＶＬＤＤが基準電圧Ｖ０を超えるまでになっていない場合は、制御回路２０は、さらにレーザ駆動回路７の出力停止の状態を維持し、レーザダイオード６のさらなる温度降下を待つようにする。予め設定した時間内において、該第１の電圧ＶＬＤＤが基準電圧Ｖ０を超えるまでに回復しない場合は、制御回路２０は、装置の記録動作を異常終了させる（ステップＳ１２１１）。
上記ステップＳ１２０１〜Ｓ１２１１の一連の手順は、メモリ３０など光ディスク装置１ｃ内の記憶手段に記憶されたプログラムに従って制御回路２０が自動的に実行する。
上記第３の実施例の光ディスク装置１ｃによっても、低コストな構成下で、信頼性の高い高倍速記録などが可能となる。
【００３６】
なお、上記第１、第２の実施例では、第２の電圧ＶＬＤを低減した状態で記録を行った後、該第２の電圧ＶＬＤを増大させても第１の電圧ＶＬＤＤとして基準電圧を超えるレベルの電圧が得られれば、該第２の電圧ＶＬＤを増大させた状態で記録動作を行わせるようにしてもよい。また、上記各実施例では、メモリ３０を制御回路２０の外部に設ける構成としたが、これに限定されず、制御回路２０の内部に設けてもよい。
【図面の簡単な説明】
【００３７】
【図１】本発明の第１の実施例としての光ディスク装置の構成例図である。
【図２】図１の光ディスク装置における記録制御系の構成図である。
【図３】図１の光ディスク装置におけるレーザ駆動回路の駆動電圧及びレーザダイオードの駆動電圧の説明図である。
【図４】図１の光ディスク装置におけるレーザ駆動回路の動作特性の説明図である。
【図５】図１の光ディスク装置におけるレーザ駆動回路及びレーザダイオードの記録速度対応特性の説明図である。
【図６】図１の光ディスク装置における記録時の制御動作の説明図である。
【図７】本発明の第２の実施例としての光ディスク装置の構成例図である。
【図８】図７の光ディスク装置における記録パワーの制御可能範囲の説明図である。
【図９】図７の光ディスク装置における記録時の制御動作の説明図である。
【図１０】本発明の第３の実施例としての光ディスク装置の構成例図である。
【図１１】図１０の光ディスク装置におけるレーザダイオードの発光特性及びレーザ駆動電圧特性の説明図である。
【図１２】図１０の光ディスク装置における記録時の制御動作の説明図である。
【符号の説明】
【００３８】
１ａ、１ｂ、１ｃ…光ディスク装置、
２…光ディスク、
３…スピンドルモータ、
４…光ピックアップ、
５…対物レンズ、
６…レーザダイオード、
７…レーザ駆動回路、
８…フォトデテクタ、
９…アナログフロントエンド、
１０…移動・案内機構部、
１１…スライドモータ、
１２…モータ駆動回路、
１３…モータ制御部、
１４…記録信号生成部、
１５…レーザ駆動回路電圧制御部、
１６…再生信号処理部、
１７…記録速度情報・記録品質情報生成部、
１８…ＰＣ供給電源、
１９…レーザ出力ＯＮ／ＯＦＦ制御部、
２０…制御回路、
２１…差電圧検出部、
２２…電圧比較部、
２３…基準電圧設定部、
２４…制御信号形成部、
２４ａ…記録速度信号形成部、
２４ｂ…レーザ駆動回路電圧制御信号形成部、
２４ｄ…レーザ出力ＯＮ／ＯＦＦ制御信号形成部、
３０…メモリ、
４０…温度センサ。
【図１】
2007294026.tif 000003
【図２】
2007294026.tif 000004
【図３】
2007294026.tif 000005
【図４】
2007294026.tif 000006
【図５】
2007294026.tif 000007
【図６】
2007294026.tif 000008
【図７】
2007294026.tif 000009
【図８】
2007294026.tif 000010
【図９】
2007294026.tif 000011
【図１０】
2007294026.tif 000012
【図１１】
2007294026.tif 000013
【図１２】
2007294026.tif 000014